(57)【要約】【課題】撮像装置の操作性の向上を図る。【解決手段】撮像装置１０は、カメラ１２と、コントロールユニット１４とがケーブル１６を介して接続されている。コントロールユニット１４は筐体５０を有している。フック６６を筐体５０の後壁５４に取り付け、フック６６を使用者が着用するベルトＢに掛止する。筐体５０の下端壁５８は下方を向き、したがって、バッテリー装着部７４に装着されたバッテリー４は筐体５０の下端壁５８から下方に突出し、ケーブル１６は下端壁５８から下方に突出する。ディスプレイ３２には下端壁５８を上とし上端壁５６を下とした画像が表示される。【選択図】図１
2010063071.tif 000002
【特許請求の範囲】
【請求項１】
被写体像を撮像して映像信号を生成するカメラと、
バッテリーが装脱可能に装着され、前記バッテリーの電源に基づいて動作する共に、前記カメラから供給される前記映像信号の記録媒体に対する記録および／または再生を行うコントロールユニットと、
前記カメラヘッドと前記コントロールユニットとを接続し、前記映像信号を前記コントロールユニットへ伝送するケーブルとを備え、
前記コントロールユニットは筐体を有し、
前記筐体の同一面に、前記バッテリーが装脱可能に装着されるバッテリー装着部と、前記ケーブルが結合されるケーブル結合部とが設けられている、
撮像装置。
【請求項２】
前記筐体は、厚さよりも大きな寸法の幅および長さを有する矩形板状を呈し、
前記筐体の前記長さ方向の端部に、厚さと幅をそれぞれ一辺とした矩形の下端壁が位置し、
前記厚さ方向の一方の端部に位置する、幅と長さをそれぞれ一辺とした矩形の後壁にベルトへの掛止を可能としたフックが取着され、
前記フックを前記ベルトに掛止した状態で前記下端壁が下向きとなり、
前記筐体の同一面は前記下端壁の面である、
請求項１記載の撮像装置。
【請求項３】
前記筐体は、厚さよりも大きな寸法の幅および長さを有する矩形板状を呈し、
前記筐体の前記長さ方向の一端に、厚さと幅をそれぞれ一辺とした矩形の上端壁が位置し、
前記筐体の前記長さ方向の他端に、厚さと幅をそれぞれ一辺とした矩形の下端壁が位置し、
前記厚さ方向の一方の端部に位置する、幅と長さをそれぞれ一辺とした矩形の後壁にベルトへの掛止を可能としたフックが取着され、
前記フックを前記ベルトに掛止した状態で前記下端壁が下向きとなり、
前記筐体の同一面は前記下端壁の面であり、
前記厚さ方向の他方の端部に位置する、幅と長さをそれぞれ一辺とした矩形の前壁に前記映像信号に基づく画像を表示するディスプレイが設けられ、
前記ディスプレイには、前記下端壁を上とし前記上端壁を下とした画像が表示される、
請求項１記載の撮像装置。
【請求項４】
前記筐体は、幅方向の両端に位置する左側壁および右側壁を有し、
前記バッテリー装着部は、前記左側壁寄りの部分を除いた前記下端壁の全域に開放状の収容凹部を含んで構成され、
前記ケーブル結合部は、前記左側壁寄りの前記下端壁に設けられ、
前記ケーブル結合部が設けられた前記筐体の内部の箇所に、前記前壁、前記後壁と、前記左側壁と、前記左側壁に対向し前記収容凹部を仕切る側壁と、前記下端壁とで仕切られた空間が形成され、
前記空間内で前記ケーブルを構成する線材が取り回されている、
請求項２記載の撮像装置。
【請求項５】
前記ディスプレイが設けられた前記前壁に前記コントロールユニットを操作するための操作部材が設けられている、
請求項３記載の撮像装置。
【請求項６】
前記筐体に前記コントロールユニットを操作するための操作部材が設けられ、
前記上端壁に、前記操作部材に対する操作を無効とするためのホールドスイッチが設けられている、
請求項３記載の撮像装置。
【請求項７】
前記筐体に、前記コントロールユニットと外部機器との間で信号を授受するためのコネクタが設けられ、
前記筐体に、前記コネクタを開閉するコネクタ開閉蓋が設けられ、
前記コネクタ開閉蓋は、前記コネクタを覆う閉塞位置と、前記コネクタを開放する開放位置との間で揺動可能に設けられ、
前記コネクタ開閉蓋を前記閉塞位置と前記開放位置とに選択的に付勢する付勢機構が設けられ、
前記付勢機構は、前記揺動の中心軸に平行して延在し前記筐体側で回転可能に支持される直線部と、前記直線部の両端からそれぞれ屈曲された屈曲部とを備える圧縮コイルばねを有し、
前記直線部から前記屈曲部の端部までの距離が、前記閉塞位置と前記開放位置とで最大となるように、前記屈曲部の端部は前記コネクタ開閉蓋に連結されている、
請求項１記載の撮像装置。
【発明の詳細な説明】
【技術分野】
【０００１】
本発明はカメラとコントロールユニットとがケーブルを介して接続された撮像装置に関する。
【背景技術】
【０００２】
従来から、被写体像を撮像して映像信号を生成するカメラと、該カメラの制御を行うコントロールユニットと、カメラとコントロールユニットとを接続するカメラケーブルとを備える撮像装置が提供されている（特許文献１参照）。
この種の撮像装置は、カメラとコントロールユニットとが別体に構成されていることから、カメラを軽量かつ小型なものとすることができる。
したがって、例えば、コントロールユニットを使用者の腰のベルトに取り付けると共に、使用者がカメラを手に持つことで、あるいは、カメラを使用者の頭部に取り付けることで、種々の撮影アングルで撮影でき、使い勝手に優れるものである。
【特許文献１】特開平４−２５２５７３
【発明の開示】
【発明が解決しようとする課題】
【０００３】
しかしながら、近年、ハイビジョン仕様での撮影を可能とするなどカメラの高画質化、高性能化に伴い、カメラケーブルで伝送する信号の周波数がより高くなっている。
そのため、ケーブルの不要輻射防止を図る観点からケーブルのシールドが強化され、したがって、ケーブルの直径がより太く硬くなる傾向にある。これにより、コントロールユニットの筐体から突出するケーブルの部分が硬くまたかさばるため、ケーブルの取り回しがしにくく、撮影時の操作性の向上を図る上で不利となっている。
また、コントロールユニットの筐体には、コントロールユニットやカメラに電源を供給するバッテリーが着脱可能に装着されており、装着されたバッテリーの部分は筐体表面から突出している。
そのため、コントロールユニットの姿勢によっては、バッテリーの部分が使用者の手や体にぶつかりやすく、操作性の向上を図る上で不利となっている。
本発明は、このような事情に鑑みなされたものであり、操作性の向上を図る上で有利な撮像装置を提供することにある。
【課題を解決するための手段】
【０００４】
上述の目的を達成するため、本発明の撮像装置は、被写体像を撮像して映像信号を生成するカメラと、バッテリーが装脱可能に装着され、前記バッテリーの電源に基づいて動作する共に、前記カメラから供給される前記映像信号の記録媒体に対する記録および／または再生を行うコントロールユニットと、前記カメラヘッドと前記コントロールユニットとを接続し、前記映像信号を前記コントロールユニットへ伝送するケーブルとを備え、前記コントロールユニットは筐体を有し、前記筐体の同一面に、前記バッテリーが装脱可能に装着されるバッテリー装着部と、前記ケーブルが結合されるケーブル結合部とが設けられている。
【発明の効果】
【０００５】
本発明によれば、筐体の同一面にバッテリー装着部とケーブル結合部とを設けたので、バッテリー装着部に装着されたバッテリーおよびケーブル結合部から延在するケーブルが筐体の同一面からのみ突出する。
したがって、筐体から突出する部分が一箇所に集中されるため、ケーブルの取り回しがしやすく、また、バッテリーの部分が使用者の手や体にぶつかりにくく、操作性の向上を図る上で有利となる。
【発明を実施するための最良の形態】
【０００６】
次に本発明の実施の形態について図面を参照して説明する。
まず、撮像装置１０の制御系について説明する。
図１は本実施の形態に係る撮像装置１０の使用状態の説明図、図２３は撮像装置１０の制御系の構成を示すブロック図である。
図１に示すように、撮像装置１０は、カメラ１２と、コントロールユニット１４と、ケーブル１６とを含んで構成されている。
【０００７】
図２３に示すように、カメラ１２は、撮像光学系１８と、撮像素子２０と、映像信号増幅部２２と、映像信号処理部２４と、光学系用駆動機構２６などを含んで構成されている。
撮像光学系１８は被写体像を撮像素子２０に導くものである。
本実施の形態では、撮像光学系１８は、該撮像光学系１８の光軸方向に移動可能に設けられた複数の可動レンズ（不図示）を有している。
そして、それら可動レンズを移動させることで、撮像素子２０に導かれる被写体像のズーミング動作（変倍動作）およびフォーカシング動作（合焦動作）がなされるように構成されている。
撮像素子２０は、撮影光学系１８によって導かれる被写体像を撮像して撮像信号を生成するものであり、撮像素子２０としてＣＣＤやＣ−ＭＯＳセンサなど従来公知のさまざまな撮像素子（イメージセンサ）が採用可能である。
映像信号増幅部２２は、撮像素子２０で生成された撮像信号を増幅するものである。
映像信号処理部２４は、映像信号増幅部２２で増幅された撮像信号に対して所定の信号処理を行うことで映像信号を生成するものであり、該映像信号は、ケーブル１６を介してコントロールユニット１４に伝送される。
光学系用駆動機構２６は、ケーブル１６を介してコントロールユニット１４から供給される制御信号に基づいて前記可動レンズを移動させることで前記ズーミング動作（変倍動作）およびフォーカシング動作を行うものである。
また、これら撮像素子２０、映像信号増幅部２２、映像信号処理部２４は、ケーブル１６を介してコントロールユニット１４から電源Ｅ１が供給されることによって動作する。
【０００８】
コントロールユニット１４は、映像信号記録再生部２８、モニタドライバ３０、ディスプレイ３２、内部メモリ３４、メモリカード用インターフェース３６、メモリカード用スロット３８、外部入出力インターフェース４０、外部入出力端子４２、操作部４４、制御部４６、電源部４８などを含んで構成されている。
映像信号記録再生部２８は、映像信号処理部２４から供給された映像信号を制御部４６の制御にしたがってメモリカード用インターフェース３６を介してメモリカード用スロット３８に装着された記録媒体としてのメモリカード２に記録する。
また、映像信号記録再生部２８は、映像信号処理部２４から供給された映像信号、あるいは、メモリカード用インターフェース３６を介してメモリカード２から供給される映像信号を、モニタドライバ３０を介してディスプレイ３０に供給して画像の表示を行わせる。
内部メモリ３４は、映像信号記録再生部２８の動作のために必要なメモリエリアを提供する。
外部入出力インターフェース４０は、外部入出力端子４２に接続された外部の電子機器と映像信号記録再生部２８との間で映像信号の授受を行うと共に、外部入出力端子４２に接続された外部の電子機器と制御部４６との間で制御信号の授受を行う。
操作部４４は、図１０に示す録画スタート／ストップスイッチ４４０４、フォトスイッチ４４０６、動画静止画切換スイッチ４４０８、ディスプレイ切換スイッチ４４１０、ズームスイッチ４４１２、ダイヤル４４１４、タッチパネル４４０２などを含むものである。
操作部４４は、この操作部４４に対してなされた操作に応じた操作信号を制御部４６に供給する。
制御部４６は、操作部４４から供給される操作信号に基づいて、カメラ１２の映像信号処理部２４および光学系用駆動機構２６に制御信号を与えて制御するものである。
また、制御部４６は、映像信号記録再生部２８、メモリカード用インターフェース３６、外部入出力インターフェース４０に制御信号を与えて制御するものである。
電源部４８は、後述するバッテリー装着部７４（図１６）に装着されたバッテリー４から供給される電力に基づいて電源Ｅ１、Ｅ２を生成するものである。
電源部４８によって生成された電源Ｅ１は、ケーブル１６を介してカメラ１２に供給される。
電源部４８によって生成された電源Ｅ２は、コントロールユニット１４内の映像信号記録再生部２８、モニタドライバ３０、ディスプレイ３２、内部メモリ３４、メモリカード用インターフェース３６、外部入出力インターフェース４０、操作部４４、制御部４６、などに供給される。
【０００９】
（カメラ１２）
次にカメラ１２について説明する。
図２はカメラ１２の斜視図図３はカメラ１２の上下を反転した斜視図図４は図２のＡ矢視図図５は図２のＢ矢視図図６は図２のＣ矢視図図７は図２のＤ矢視図図８は図２のＥ矢視図図９は図２のＦ矢視図である。
図２に示すように、カメラ１２は筐体１２Ａを有し、筐体１２Ａは細長形状を呈している。
詳細には、筐体１２Ａは、高さと、高さとほぼ等しい寸法の幅と、高さおよび幅よりも大きな長さを有する直方体状を呈している。
図２、図４、図８に示すように、筐体１２Ａの前面１２０２に開口部が設けられ、この開口部に臨ませて撮像光学系１８が配置され、上面１２０４に音声を収音して音声信号を生成するマイクロフォン１９が設けられている。
なお、マイクロフォン１９の音声信号は、カメラ１２に設けられた図略の音声信号増幅器によって増幅され、ケーブル１６を介してコントロールユニット１４に伝送される。
そして、コントロールユニット１４に伝送された音声信号は図略の音声信号記録再生部およびメモリカードインターフェース３６を介してメモリカード２に記録される。
また、前記音声信号記録再生部によってメモリカード２から再生された音声信号は、スピーカ４５（図１０）から再生される。
【００１０】
図３、図５乃至図７に示すように、筐体１２Ａの下面１２０６の後部寄りの箇所には、取り付け部１２Ｂが設けられている。
取り付け部１２Ｂは矩形板状を呈し、取り付け部１２Ｂの対向する２辺に、取り付け溝１２１０が形成され、取り付け部１２Ｂの中心に三脚取り付け用ねじ孔１２１２が形成されている。
したがって、カメラ１２は、取り付け溝１２１０を介してクランプなどの取り付け部材に設けられた取り付け部（シュー）に取り付け可能であり、あるいは、三脚取り付け用ねじ孔１２１２を介して三脚に取り付け可能である。
図６、図７、図９に示すように、筐体１２Ａの後面１２１０の中央に結合部が膨出形成され、この結合部を通してケーブル１６が筐体１２Ａ内に挿入されている。そして、ケーブル１６を構成する線材が映像信号処理部２４、光学系用駆動部２６などに接続されている。
【００１１】
（コントロールユニット１４）
次にコントロールユニット１４について説明する。
図１０はコントロールユニット１４の正面図、図１１は図１０のＡ矢視図、図１２は図１０のＢ矢視図、図１３は図１０のＣ矢視図、図１４は図１０のＤ矢視図、図１５は図１３のＥ矢視図である。
図１６、図１７はバッテリー４が装着されたコントロールユニット１４の斜視図である。
図１８はスロット開閉蓋６８が開放されたコントロールユニット１４の斜視図、図１９はコネクタ開閉蓋７０が開放されたコントロールユニット１４の斜視図である。
図２０はフック装着部６４を示すコントロールユニット１４の斜視図、図２１はフック６６が取り付けられたコントロールユニット１４の斜視図である。
図２２はケーブル保持具８０の斜視図である。
【００１２】
図１６に示すように、コントロールユニット１４は筐体５０を有している。
筐体５０はほぼ矩形板状を呈し、筐体５０は、厚さＤよりも大きな寸法の幅Ｗおよび長さＬを有している。
筐体５０の厚さ方向の一端に、幅Ｗと長さＬをそれぞれ一辺とした矩形の前壁５２が位置し、筐体５０の厚さＤ方向の他端に、幅Ｗと長さＬをそれぞれ一辺とした矩形の後壁５４が位置している。
筐体５０の長さ方向の一端に、厚さＤと幅Ｗをそれぞれ一辺とした矩形の上端壁５６が位置し、筐体５０の長さＬ方向の他端に、厚さＤと幅Ｗをそれぞれ一辺とした矩形の下端壁５８が位置している。
筐体５０の幅方向の一端に、厚さＤと長さＬをそれぞれ一辺とした矩形の左側壁６０が位置し、筐体５０の厚さ方向の他端に、厚さＤと長さＬをそれぞれ一辺とした矩形の右側壁６２が位置している。
なお、図１３、図１４に示すように、下端壁５８寄りの筐体５０の厚さは、他の部分の厚さに比べて大きな寸法となっており、前壁５２と後壁５４の下端壁５８寄りの部分により肉厚部６３が形成されている。
【００１３】
図１０に示すように、前壁５２の長さＬ方向の中間部にはディスプレイ３２が設けられている。
ディスプレイ３２は、筐体５０の幅方向と平行する２つの長辺と、長さ方向と平行する２つの短辺とを有する矩形状の表示面を有している。
本実施の形態では、図２３に示す映像信号記録再生部２８およびモニタドライバ３０により、ディスプレイ３２に、下端壁５８を上とし上端壁５６を下とした画像が表示されるように構成されている。
また、ディスプレイ３２の表示面を覆うように透明なタッチパネル４４０２が設けられている。
このタッチパネル４４０２は操作部４４（図２３）の一部を構成するものであり、タッチパネル４４０２を指などで触れることにより操作信号が生成され制御部４６（図２３）に供給される。
タッチパネル４４０２は、ディスプレイ３２の表示面に表示される操作用のアイコンやメニューと組み合わされることにより、種々の設定動作を可能とするものである。
【００１４】
前壁５２のうちディスプレイ３２と上端壁５６との間に、録画スタート／ストップスイッチ４４０４、フォトスイッチ４４０６、動画静止画切換スイッチ４４０８、ディスプレイ切換スイッチ４４１０、ズームスイッチ４４１２、ダイヤル４４１４が設けられている。
言い換えると、ディスプレイ３２が設けられた前壁５２に操作部材としての録画スタート／ストップスイッチ４４０４、フォトスイッチ４４０６、動画静止画切換スイッチ４４０８が設けられている。また、壁５２に操作部材としてのディスプレイ切換スイッチ４４１０、ズームスイッチ４４１２、ダイヤル４４１４が設けられている。
これら各スイッチは操作部４４（図２３）の一部を構成するものであり、操作されることにより操作信号が生成され制御部４６（図２３）に供給される。
録画スタート／ストップスイッチ４４０４は、動画のメモリカード２への記録の開始、停止を行うためのスイッチである。
動画静止画切換スイッチ４４０８は、動画を撮影して記録する動画モードと、静止画を撮影して記録する静止画モードとの切換を行うためのスイッチである。
フォトスイッチ４４０６は、静止画モードにおいて操作されることで静止画の記録を行うものであり、言い換えるとレリーズスイッチとして機能するものである。
ディスプレイ切換スイッチ４４１０は、ディスプレイ３２に表示される表示内容を切換えるためのスイッチである。
ズームスイッチ４４１２は、撮像光学系１８（図２３）を広角側（ワイド側）あるいは望遠側（テレ側）にズームさせるものである。
ダイヤル４４１４は、撮像装置１０の詳細な設定動作を行うためのものである。
【００１５】
図１５、図２０に示すように、後壁５４の上端壁５６寄りの幅方向の中央に、フック装着部６４が設けられている。
図２０に示すように、本実施の形態では、フック装着部６４は、カメラ１２の取り付け部１２Ｂと同様の取り付け部６５で構成されている。
取り付け部６５は矩形板状を呈し、取り付け部６５の対向する２辺に、取り付け溝（不図示）が形成され、取り付け部６５の中心に三脚取り付け用ねじ孔６５０２が形成されている。
【００１６】
図２１に示すように、フック装着部６４（取り付け部６５）にフック６６が着脱可能に装着される。
フック６６は、図１に示すように、使用者が着用しているベルトＢへの掛止を可能としたものであり、フック６６は、このフック６６をベルトＢに掛止した状態で下端壁５８が下向きとなるように構成されている。
なお、コントロールユニット１４は、フック６６を取り外した状態で、取り付け部６５の前記取り付け溝を介してクランプなどの取り付け部材に設けられた取り付け部（シュー）や、あるいは、三脚取り付け用ねじ孔６５０２を介して三脚に取り付け可能である。
【００１７】
図１８に示すように、左側壁６０の上端壁５６寄りの箇所には、メモリカード２が挿脱されるメモリカード用スロット３８が設けられている。
メモリカードスロット３８は、図１３、図１６、図１８に示すように、左側壁６０に設けられたスロット開閉蓋６８によって開閉される。
【００１８】
図１９に示すように、右側壁６２には、ＨＤＭＩコネクタ４２０２、ＡＶＲコネクタ４２０４、ＵＳＢコネクタ４２０６、ＤＣＩＮコネクタ４８０２が設けられている。
ＨＤＭＩコネクタ４２０２、ＡＶＲコネクタ４２０４、ＵＳＢコネクタ４２０６は、外部入出力コネクタ４２（図２３）を構成するものである。
ＨＤＭＩコネクタ４２０２は、ハイビジョン仕様の映像信号を音声信号と共に外部機器に出力する映像信号および音声信号出力用のコネクタである。
ＡＶＲコネクタ４２０４は、アナログ形式の映像信号を音声信号と共に外部機器に出力するための映像信号および音声信号出力用のコネクタである。
また、本実施の形態では、ＡＶＲコネクタ４２０４は、外部機器から供給される制御信号を入力するためのＬＡＮＣコネクタを兼用している。すなわち、ＡＶＲコネクタ４２０４は、該ＡＶＲコネクタ４２０４が外部機器の所定の抵抗に接続されることによりＬＡＮＣコネクタとして機能するものである。
ＵＳＢコネクタ４２０６は、パーソナルコンピュータと接続されることにより、映像信号および音声信号の授受を行うためのコネクタである。また、ＵＳＢコネクタ４２０６は、外付けのハードディスクドライブ装置などの記憶装置に直接接続されることにより、記憶装置との間で映像信号および音声信号の授受を行うことが可能である。
ＤＣＩＮコネクタ４８０２は、外部電源からの電源（直流電源）を電源部４８（図２３）に供給するための電源入力コネクタである。ＤＣＩＮコネクタ４８０２に外部電源を接続することにより、バッテリー４を使用することなく、撮像装置１０の動作が可能となる。
ＨＤＭＩコネクタ４２０２、ＡＶＲコネクタ４２０４、ＵＳＢコネクタ４２０６、ＤＣＩＮコネクタ４８０２は、図１４、図１９、図２０に示すように、右側壁６２に設けられたコネクタ開閉蓋７０によって開閉される。
なお、図１４、図１９、図２０の符号７２は、後述するバッテリー装着部７４（図１６）に装着されたバッテリー４を取り外す際に操作するバッテリー取り外しボタンを示す。
【００１９】
図１１、図２０に示すように、上端壁５６には、電源スイッチ４４２０およびホールドスイッチ４４２２が設けられている。
電源スイッチ４４２０およびホールドスイッチ４４２２は、操作部４４（図２３）の一部を構成するものであり、操作されることにより操作信号が生成され制御部４６（図２３）に供給される。
電源スイッチ４４２２は、電源部４８による各部への電源供給のオン、オフを制御するためのスイッチである。
ホールドスイッチ４４２２は、このホールドスイッチ４４２２を除く操作部４４、すなわち、タッチパネル４４０２、録画スタート／ストップスイッチ４４０４、フォトスイッチ４４０６、動画静止画切換スイッチ４４０８、ディスプレイ切換スイッチ４４１０、ズームスイッチ４４１２、ダイヤル４４１４、電源スイッチ４４２０に対してなされる操作の有効、無効を切り換えるものである。
したがって、ホールドスイッチ４４２２がオフされると、コントロールユニット１４は、ホールドスイッチ４４２２を除く操作部４４への操作が有効な状態とされる。
また、ホールドスイッチ４４２２がオンされると、コントロールユニット１４は、ホールドスイッチ４４２２を除く操作部４４への操作が無効とされるホールド状態となり、誤操作を確実に防止できるように図られている。
【００２０】
図１６、図１９に示すように、下端壁５８の面に、バッテリー４が装脱可能に装着されるバッテリー装着部７４と、ケーブル１６の一端が結合されるケーブル結合部７６とが設けられている。
したがって、筐体５０の同一面にバッテリー装着部７４とケーブル結合部７６とが設けられている。
本実施の形態では、図１０、図１２、図１９に示すように、バッテリー装着部７４は、下端壁５８に開放状でバッテリー４を収容する収容凹部７８を有している。収容凹部７８は、肉厚部６３内に位置している。
収容凹部７８は、下端壁５８の左側壁６０寄りの部分を除いた下端壁５８のほぼ全域に開口され、上端壁５６に向かって窪んでいる。
そして、バッテリー４がバッテリー装着部７４に装着された状態で、バッテリー４の部分が収容凹部７８に収容され、また、バッテリー４の残りの部分が収容凹部７８から（下端壁５８から）下方に突出している。
収容凹部７８は、図１２、図１９に示すように、バッテリー４の底面が当接される矩形状の当接面７８０２と、当接面７８０２の四辺から起立される４つの側壁７８０４とで構成されている。
当接面７８０２あるいは側壁７８０４には、バッテリー４がバッテリー装着部７４に装着された状態でバッテリー４のバッテリー側端子に電気的に接続される不図示の装着部側接続端子が設けられている。
したがって、バッテリー４の電源は、バッテリー側端子から装着部側接続端子を介して電源部４８（図２３）に供給される。
また、収容凹部７８には、バッテリー４が収容凹部７８に装着された状態を保持する不図示の保持機構が設けられている。
前記保持機構としては、収容凹部７８内に出没する係合突起がバッテリー４に係合することでバッテリー４が保持されるなど従来公知のさまざまな係合構造が採用可能である。
本実施の形態では、バッテリー取り外しボタン７２（図１４）を所定方向に操作することにより前記係合突起とバッテリー４との係合が解除され、バッテリー４の収容凹部７８からの取り出しが可能となる。
【００２１】
図１０、図１９に示すように、ケーブル結合部７６は、収容凹部７８の除く残りの肉厚部６３に設けられ、ケーブル１６はケーブル結合部７６を介して下端壁５８から筐体５０の内部に挿入されている。
なお、ケーブル１６は、前述したようにカメラ１２とコントロールユニット１４との間で映像信号、音声信号、制御信号、電源を伝送するものであり、シールド線を含む複数の線材で構成されている。
ここで、図１０に示すように、ケーブル結合部７６が設けられた肉厚部６３の内部には、前壁５２と、後壁５４と、左側壁６０と、この左側壁６０に対向し収容凹部７８を仕切る側壁７８０４とで囲まれた空間Ｓが形成されている。
そのため、下端壁５８から筐体５０の内部に挿入されたケーブル１６の複数の線材を、デッドスペースである空間Ｓを利用して筐体５０の内部に引き回すことができ、したがって、筐体５０の小型化および作業性の向上を図る上で有利となっている。
【００２２】
次に撮像装置１０の使用方法について説明する。
図２１に示すようにフック６６を筐体５０の後壁５４に取り付け、図１に示すように、フック６６を使用者が着用するベルトＢに掛止する。
すると、筐体５０の下端壁５８は下方を向き、したがって、バッテリー装着部７４に装着されたバッテリー４は筐体５０の下端壁５８から下方に突出し、ケーブル１６は下端壁５８から下方に突出することになる。
そして、カメラ１２を手で把持するなどして撮影を行うことができる。
この際、ディスプレイ３２には下端壁５８を上とし上端壁５６を下とした画像が表示される。したがって、筐体５０を、ディスプレイ３２の表示面が斜め上方（あるいは上方）を向くように傾ければ、使用者はディスプレイ３２に表示された画像を正立した像として視認できる。
また、上端壁５６には、ホールドスイッチ４４２２が設けられているため、使用者は、必要に応じて即座にホールドスイッチ４４２２を操作することにより、コントロールユニット１４をホールド状態にでき、撮影中の誤操作、誤動作を容易かつ確実に防止することができる。
また、ディスプレイ３２が設けられた前壁５２に操作部材としての録画スタート／ストップスイッチ４４０４、フォトスイッチ４４０６、動画静止画切換スイッチ４４０８、ディスプレイ切換スイッチ４４１０、ズームスイッチ４４１２、ダイヤル４４１４を設けた。
したがって、使用者は、ディスプレイ３２を視認しつつ、必要に応じてそれら操作部材を容易かつ確実に操作することができる。
なお、図１に示すように、カメラ１２とコントロールユニット１４との間で余ったケーブル１６の部分を環状に巻回し、この環状に巻回した部分をベルトＢに掛止されたケーブル保持具８０で保持するようにすれば、ケーブル１６の取り回しが容易となる。
ケーブル保持具８０は、例えば、図２２に示すように、ベルトＢに掛止可能なベルトフック部８００２と、ベルトフック部８００２の下端から延在形成されケーブル１６を掛止可能なケーブルフック部８００４とを備えている。
そして、ベルトフック部８００２には、帯状を呈しループが形成された第１の面ファスナー８００４の一端が取着され、ケーブルフック部８００４には、第１の面ファスナー８００４が脱着可能に結合されるフックが形成された第２の面ファスナー８００８が取着されている。
したがって、ケーブル１６がケーブルフック部８００４に掛止された状態で第１の面ファスナー８００６の一端を第２の面ファスナー８００８に結合することで、ケーブル１６がケーブル保持具８０にしっかりと保持される。
【００２３】
本実施の形態によれば、筐体５０の同一面にバッテリー装着部７４とケーブル結合部７６とを設けたので、バッテリー装着部７４に装着されたバッテリー４およびケーブル結合部７６から延在するケーブル１６が筐体５０の同一面からのみ突出することになる。
したがって、筐体５０から突出する部分が一箇所に集中されるため、コントロールユニット１４を携行するにあたって、あるいは、使用者の体に装着して使用するにあたって、ケーブル１６の取り回しがしやすい。また、バッテリー４の部分が使用者の手や体にぶつかりにくく、操作性の向上を図る上で有利となる。
【００２４】
本実施の形態では、筐体５０の下端壁５８にバッテリー装着部７４とケーブル結合部７６とを設け、筐体５０の後壁５４に設けたフック６６をベルトＢに掛止すると、バッテリー４とケーブル１６が筐体５０の下端面５８に位置する。すなわち、バッテリー４とケーブル１６が筐体５０の下方に突出する。
したがって、使用者が手に把持したカメラ１２をいろいろな位置に動かしながら撮影を行っても、バッテリー４とケーブル１６が筐体５０の下端面５８に位置していることから、邪魔になりにくく、操作性の向上を図る上でより有利となる。
また、バッテリー４は比較的重量が重いため、バッテリー４が筐体５０の下端面５８に位置していると、筐体５０の重心が低くなることから筐体５０の姿勢が安定化するため、この点においても、操作性の向上を図る上でより有利となる。
【００２５】
次にコネクタ開閉蓋７０について説明する。
図２４は右側壁６２の内側から閉塞位置のコネクタ開閉蓋７０を見た斜視図、図２５は右側壁６２の内側から閉塞位置と開放位置との中間に位置したコネクタ開閉蓋７０を見た斜視図である。
図２６は右側壁６２の内側から開放位置のコネクタ開閉蓋７０を見た斜視図である。
図２７は閉塞位置のコネクタ開閉蓋７０と圧縮コイルばね８４の斜視図、図２８は閉塞位置と開放位置との中間に位置したコネクタ開閉蓋７０と圧縮コイルばね８４の斜視図である。
図２９は開放位置のコネクタ開閉蓋７０と圧縮コイルばね８４の斜視図である。
図３０は閉塞位置のコネクタ開閉蓋７０と圧縮コイルばね８４の平面図である。
図３１は図３０のＡ矢視図であり閉塞位置のコネクタ開閉蓋７０と圧縮コイルばね８４の側面図、図３２は閉塞位置と開放位置との中間に位置したコネクタ開閉蓋７０と圧縮コイルばね８４の側面図、図３３は開放位置のコネクタ開閉蓋７０と圧縮コイルばね８４の側面図である。
図３４はコネクタ開閉蓋７０の動作を説明する模式図である。
【００２６】
前述したように、コネクタ開閉蓋７０は、ＨＤＭＩコネクタ４２０２、ＡＶＲコネクタ４２０４、ＵＳＢコネクタ４２０６、ＤＣＩＮコネクタ４８０２を覆う閉塞位置（図１７）と、それら各コネクタを開放する開放位置（図１９）との間で揺動可能に設けられている。
図２４乃至図３４に示すように、コネクタ開閉蓋７０を閉塞位置Ｐ１と開放位置Ｐ２とに選択的に付勢する付勢機構８２が設けられている。
付勢機構８２は、圧縮コイルばね８４を含んで構成されている。
圧縮コイルばね８４は、図２４、図３１、図３４に示すように、揺動の中心軸９０に平行して延在し筐体５０側（右側壁６２）で回転可能に支持される直線部８６と、直線部８６の両端からそれぞれ屈曲された屈曲部８８とを備えている。
図３４に示すように、直線部８６から屈曲部８８の端部までの距離が、閉塞位置Ｐ１と開放位置Ｐ２とで最大となるように、屈曲部８８の端部はコネクタ開閉蓋７０に連結されている。
なお、図３４において、符号９２Ａ、９２Ｂは、コネクタ開閉蓋７０に当接することで、コネクタ開閉壁７０を閉塞位置Ｐ１と開放位置Ｐ２とに規制するストッパである。
【００２７】
コネクタ開閉蓋７０に、従来のようにトグルばねなどを用いて付勢機構を構成する場合は、コネクタ開閉蓋７０の中心軸９０の周方向にトグルばねが移動するため、中心軸９０の半径方向に占有するスペースが大きくなり、小型化を図る上で不利があった。
これに対して本実施の形態では、圧縮コイルばね８４の両端の屈曲部８８のみが揺動の中心軸９０の半径方向に延在するので、付勢機構８２が中心軸９０の半径方向に占有するスペースを最小限にでき、コントロールユニット１４の小型化を図る上で有利となる。
なお、このような付勢機構８２をスロット開閉蓋６８に適用してもよいことは無論である。
【図面の簡単な説明】
【００２８】
【図１】本実施の形態に係る撮像装置１０の使用状態の説明図である。
【図２】カメラ１２の斜視図である。
【図３】カメラ１２の上下を反転した斜視図である。
【図４】図２のＡ矢視図である。
【図５】図２のＢ矢視図である。
【図６】図２のＣ矢視図である。
【図７】図２のＤ矢視図である。
【図８】図２のＥ矢視図である。
【図９】図２のＦ矢視図である。
【図１０】コントロールユニット１４の正面図である。
【図１１】図１０のＡ矢視図である。
【図１２】図１０のＢ矢視図である。
【図１３】図１０のＣ矢視図である。
【図１４】図１０のＤ矢視図である。
【図１５】図１３のＥ矢視図である。
【図１６】バッテリー４が装着されたコントロールユニット１４の斜視図である。
【図１７】バッテリー４が装着されたコントロールユニット１４の斜視図である。
【図１８】スロット開閉蓋６８が開放されたコントロールユニット１４の斜視図である。
【図１９】コネクタ開閉蓋７０が開放されたコントロールユニット１４の斜視図である。
【図２０】フック装着部６４を示すコントロールユニット１４の斜視図である。
【図２１】フック６６が取り付けられたコントロールユニット１４の斜視図である。
【図２２】ケーブル保持具８０の斜視図である。
【図２３】撮像装置１０の制御系の構成を示すブロック図である。
【図２４】右側壁６２の内側から閉塞位置のコネクタ開閉蓋７０を見た斜視図である。
【図２５】右側壁６２の内側から閉塞位置と開放位置との中間に位置したコネクタ開閉蓋７０を見た斜視図である。
【図２６】右側壁６２の内側から開放位置のコネクタ開閉蓋７０を見た斜視図である。
【図２７】閉塞位置のコネクタ開閉蓋７０と圧縮コイルばね８４の斜視図である。
【図２８】閉塞位置と開放位置との中間に位置したコネクタ開閉蓋７０と圧縮コイルばね８４の斜視図である。
【図２９】開放位置のコネクタ開閉蓋７０と圧縮コイルばね８４の斜視図である。
【図３０】閉塞位置のコネクタ開閉蓋７０と圧縮コイルばね８４の平面図である。
【図３１】図３０のＡ矢視図であり閉塞位置のコネクタ開閉蓋７０と圧縮コイルばね８４の側面図である。
【図３２】閉塞位置と開放位置との中間に位置したコネクタ開閉蓋７０と圧縮コイルばね８４の側面図である。
【図３３】開放位置のコネクタ開閉蓋７０と圧縮コイルばね８４の側面図である。
【図３４】コネクタ開閉蓋７０の動作を説明する模式図である。
【符号の説明】
【００２９】
１０……撮像装置、１２……カメラ、１４……コントロールユニット、１６……ケーブル、７４……バッテリー装着部、７６……ケーブル結合部。
【図１】
2010063071.tif 000003
【図２】
2010063071.tif 000004
【図３】
2010063071.tif 000005
【図４】
2010063071.tif 000006
【図５】
2010063071.tif 000007
【図６】
2010063071.tif 000008
【図７】
2010063071.tif 000009
【図８】
2010063071.tif 000010
【図９】
2010063071.tif 000011
【図１０】
2010063071.tif 000012
【図１１】
2010063071.tif 000013
【図１２】
2010063071.tif 000014
【図１３】
2010063071.tif 000015
【図１４】
2010063071.tif 000016
【図１５】
2010063071.tif 000017
【図１６】
2010063071.tif 000018
【図１７】
2010063071.tif 000019
【図１８】
2010063071.tif 000020
【図１９】
2010063071.tif 000021
【図２０】
2010063071.tif 000022
【図２１】
2010063071.tif 000023
【図２２】
2010063071.tif 000024
【図２３】
2010063071.tif 000025
【図２４】
2010063071.tif 000026
【図２５】
2010063071.tif 000027
【図２６】
2010063071.tif 000028
【図２７】
2010063071.tif 000029
【図２８】
2010063071.tif 000030
【図２９】
2010063071.tif 000031
【図３０】
2010063071.tif 000032
【図３１】
2010063071.tif 000033
【図３２】
2010063071.tif 000034
【図３３】
2010063071.tif 000035
【図３４】
2010063071.tif 000036